(57)【要約】      （修正有）【課題】流体供給用の配管ユニットであって、流体に含まれるスラッジなどの異物を取り除いた流体を下流に供給する配管ユニットを提供する。【解決手段】流体供給用の配管ユニットであって、開口の一端部と開口の他端部とを連結する中空の配管ユニット本体１０と、配管ユニット本体の一端部の中空部に取付け固定されるフィルタ部材１２と、を有する。フィルタ部材にて、配管ユニットの上流から供給される流体中の異物を受け止めて下流に流さないようにする。【選択図】図２
0003233270.tif 000002
【実用新案登録請求の範囲】
【請求項１】
流体供給用の配管ユニットであって、
開口の一端部と開口の他端部とを連結する中空の配管ユニット本体と、
配管ユニット本体の一端部の中空部に取付け固定されるフィルタ部材と、
を有し、フィルタ部材にて、配管ユニットの上流から供給される流体中の異物を受け止めて下流に流さないようにすることを特徴とする配管ユニット。
【請求項２】
配管ユニットはコネクタであり、開口の一端部は、雄部であって、他のホースエレメントの雌部に対して圧入して結合する外周曲面を有し、開口の他端部は、ネジが形成されていて、他の配管ユニットのネジと、螺合することで結合するようになっていることを特徴とする請求項１に記載の配管ユニット。
【請求項３】
配管ユニットはホースエレメントであって、開口の一端部は、雄部であって、他のホースエレメントの雌部に対して圧入して結合する外周曲面を有し、開口の他端部は、雌部であって、他のホースエレメントの雄部に対して圧入して結合する内周曲面を有することを特徴とする請求項１に記載の配管ユニット。
【請求項４】
フィルタ部材は、網目構造となっており、開口の一端部から圧入されて中空部に取付け固定され、フィルタ部材は、流体中の異物をフィルタ部材の網目構造で受け止めて下流に流れなくするようにし、さらに、止め輪を備え、止め輪がフィルタ部材を配管ユニット本体の一端部の中空内壁面に圧接固定するようにしたことを特徴とする請求項２又は請求項３に記載の配管ユニット。
【請求項５】
流体供給用の配管ユニットであって、
配管ユニットはコネクタであり、
開口の一端部と開口の他端部とを連結する中空のコネクタ本体と、
コネクタ本体の一端部の中空部に取付けられるフィルタ部材と、
フィルタ部材をコネクタ本体の一端部の中空内壁面に圧接固定する止め輪と、
を有し、
コネクタ本体の開口の一端部は、雄部であって、ホースエレメントの雌部に対して圧入して結合する外周曲面を有し、開口の他端部は、雄ネジが形成されていて、他の配管ユニットの雌ネジと、螺合することで結合するようになっており、
フィルタ部材は、網目構造となっており、一端部の開口部の内側の外周曲線に沿った側面とそれに連なる底面とを備えていて、流体中の異物をフィルタ部材の底面で受け止めて下流に流れなくすることを特徴とする配管ユニット。
【考案の詳細な説明】
【技術分野】
【０００１】  本考案は、流体供給用の配管ユニットに関する。
【背景技術】
【０００２】  従来、流体を供給する流体供給用の配管を実現する手段としては、例えば、ロックラインホース（商品名）がある。これにより、例えば、金属加工箇所の冷却、給油、或いは給水を行うクーラントノズルシステムを構成する。かかるシステムを開示した文献としては、実公平２−１８８６９号公報がある。
【先行技術文献】
【特許文献】
【０００３】
【特許文献１】実公平２−１８８６９号公報
【考案の概要】
【考案が解決しようとする課題】
【０００４】  このような流体供給用の配管は、配管ユニット（例えばホースエレメント）を複数個接続して長いホースを形成し、またホースと他の部品を接続する箇所には配管ユニット（例えばコネクタ）を配設して、当該部品を接続することになる。例えば、工作機械のクーラントシステムでは、クーラント（水または冷却剤等の流体）は、循環利用することになり、スラッジ（汚泥等）などの異物がクーラントに混じってくることもあり、それらの異物を取り除いていないと下流にそのまま流してしまうことになる。【０００５】  特に、下流側に、例えば、ファインバブル生成器などの流体特性を変化させる部品や機材を接続する場合は、そのような異物が当該機器の内部を通過してしまうと途中の流路で詰まってしまうなど、故障の原因にもなりかねない。
【課題を解決するための手段】
【０００６】  本考案は、そのような問題が生じないように、コネクタやホースエレメントその他各種の配管ユニットの内部に、供給される流体の中に含まれる異物を取り除くためのフィルタ部材を設けるようにする。即ち、その一構成例によれば、流体供給用の配管ユニットであって、開口の一端部と開口の他端部とを連結する中空の配管ユニット本体と、配管ユニット本体の一端部の中空部に取付け固定されるフィルタ部材と、を有する。フィルタ部材にて、配管ユニットの上流から供給される流体中の異物を受け止めて下流に流さないようにする。【０００７】  本考案の他の一構成例によれば、流体供給用の配管ユニットであって、配管ユニットはコネクタであり、開口の一端部と開口の他端部とを連結する中空のコネクタ本体と、コネクタ本体の一端部の中空部に取付けられるフィルタ部材と、フィルタ部材をコネクタ本体の一端部の中空内壁面に圧接固定する止め輪と、を有する。コネクタ本体の開口の一端部は、雄部であって、ホースエレメントの雌部に対して圧入して結合する外周曲面を有し、開口の他端部は、雄ネジが形成されていて、他の配管ユニットの雌ネジと、螺合することで結合するようになっており、フィルタ部材は、網目構造となっており、一端部の開口部の内側の外周曲線に沿った側面とそれに連なる底面とを備えていて、流体中の異物をフィルタ部材の底面で受け止めて下流に流れなくする。
【考案の効果】
【０００８】  本考案の上記構成によって、流体中に含まれるスラッジなどの異物を、配管ユニット（コネクタ又はホースエレメントその他の各種ユニット部材）の内部に設けたフィルタ部材によって、除去することができ、下流に異物を流すことがなくなる。従って、上流から供給される流体の中に仮に異物が含まれていたとしても、下流の配管に、ファインバブル生成装置などを配置したとしても、その内部に異物が混入することはなくなり、動作不良を起こすことなどが避けられる。また、配管ユニットの構造は簡単なものであるため、配管から取り外して、フィルタに蓄積した異物を定期的に除去することも容易であり、メンテナンスが効率的に行える。
【図面の簡単な説明】
【０００９】
【図１】本考案の一実施形態に係る配管ユニットであるコネクタの外観の正面図である。
【図２】コネクタを分解した３次元斜視図である。
【図３】コネクタの内部に取付け固定されるフィルタ部材の外観斜視図である。
【図４】コネクタの分解断面図である。
【図５】コネクタの断面の３次元斜視図である。
【図６】本考案の他の一実施形態に係る配管ユニットであるホースエレメントの外観の正面図である。
【図７】ホースエレメントの分解断面図である。
【考案を実施するための形態】
【００１０】  以下、本考案の一実施形態につき図面を参照しながら詳細に説明する。図１において、１は、配管ユニットであるコネクタであり、１０は、コネクタ本体であって、１０ａは開口を持つ一端部、１０ｂは開口を持つ他端部であり、図４に示す通り中空の内部構造を持つ。コネクタ本体１０は樹脂製とすることができるが、金属製であってもよい。流体は、一端部１０ａの開口から流入し、他端部１０ｂの開口から流出する。つまり、一端部１０ａが上流側であり、他端部１０ｂが下流側となる。勿論、上流側と下流側を逆にしてもよい。
【００１１】  一端部の１０ａは、上流側の別の配管ユニット（ホースエレメント）と結合するための雄部の形状をしており、図示しない別のホースエレメントの連結部は雌部の形状をする。つまり、雄部の外周面の一部を球面で構成し、その半径は雌部の内周面の一部をなす球面の半径より大きい（雄部の外周面は雌部の外周面より半径が小さい）。互いに球面対偶をなす雄部と雌部とは、これらの球面の半径方向に互いに弾性変形してこれらの球面によって密接することになる。この構造により液密性を実現し維持する。勿論、一端部１０ａを雌部として、図示しない別の配管ユニットを雄部とすることも可能である。そして、一端部１０ａと他端部１０ｂとの間は、連結していて流体が通過できるよう内部は中空構造である。
【００１２】  他端部１０ｂには、雄ネジが形成されており、下流側の図示しない別の配管ユニットとネジ結合（螺合）をする。つまり、図示しない別の配管ユニットには、雌ネジが形成されている。このネジ結合によって、両者間は、密接して、液密性を実現し維持する。勿論、他端部１０ｂに、雌ネジを切り、図示しない別の配管ユニットの端部に雄ネジを形成してもよい。
【００１３】  なお、一端部１０ａと上流側の別の配管ユニットとの連結構造も、他端部１０ｂと下流側の他の別の配管ユニットとの連結構造も、図示したものに限ることはなく、要は、上流側の配管ユニットと下流側の配管ユニットとをコネクタ１が連結する構造をとればよい。
【００１４】  図２は、図１のコネクタ１を分解したものの状態（分解斜視図）を示しており、コネクタ本体１０の上流に止め輪１１、フィルタ部材１２が示されている。止め輪１１としては、スナップリング或いはＣ型止め輪、同心止め輪その他が用いられる。１１は、フィルタ部材１２を、コネクタ本体１０の一端部１０ａの中空内壁面に内側から半径方向に圧接固定することになる。つまり、止め輪１１は所定の工具（例えば、スナップリングプライヤー）をもって、リングの径を縮めたうえで、フィルタ部材１２の内側に挿入し、その後、縮めていた径をもとに戻して（広げて）、フィルタ部材１２の端部をコネクタ本体１０の一端部１０ａ内壁に止め輪１１の弾性力で圧接固定する。図示の止め輪は、２つの小穴１１ａが両端部に開けられており、工具の先端の爪を小穴１１ａに通して、リングの径を縮めたり、広げたりできることになる。なお、止め輪１１の形状はこれに限るものではない。
【００１５】  フィルタ部材１２は、上流側から供給される流体の中に含まれる異物を受けとめ或いは堰止めし、流体は下流に流すようにする（つまり、フィルタ機能を実現する）ものである。一実施形態としては、図３に示すような、網目構造とするもので、一端部１０ａの内壁面曲線に沿った側面と、それに連なる底面とが形成される２層の椀型となる。図では、入り口側の大きい径で底のない第一の椀部１２ａと、小さい径で底のある第２の椀部１２ｂとがテーパー部１２ｃにて連結形成されている。この網目構造の網目の粗さによって、流体の流れが決まるので、網目のサイズは流体の流量や流速に応じ適切なサイズとする。このフィルタ部材は、金属製でもよいし、プラスチックやナイロン、布その他の部材で、耐久性のある材質とする。
【００１６】  コネクタ本体１０の内部形状としては、図４の断面図、図５の断面の３次元斜視図から理解されるとおり、一端部１０ａ側には、テーパー１０ｃが形成され、フィルタ部材１２の第一の椀部１２ａと第２の椀部１２ｂをつなぐテーパー部１２ｃが当接することになる。このフィルタ部材１２が弾性力を伴って、このコネクタ本体１０の一端部１０ａの内周壁に圧接固定する場合は、上述した止め輪１１は必ずしも必要ない。また、本実施形態では、上流側を一端部１０ａとし、下流側を他端部１０ｂとしたことにより、フィルタ部材１２の構成及び配置を図２、図４、図５示すように、底部が下流側（図面の右側）となるようにしたが、上流側と下流側を逆にした場合は、底部が図面左側となるようにして、適宜その形状を変形すれば実現できる。
【００１７】  以上説明したように、本実施形態のコネクタ１は、中空のコネクタ本体１０に、フィルタ部材１２が取付け固定されることで、フィルタ部材１２により、上流から供給される流体物の異物を下流に流さないようにフィルタ部材１２の底面（第２の椀部１２ｂの底面）にて受けとめる或いは堰き止めることが可能となる。
【００１８】  図６は、本考案の他の一実施形態に係る配管ユニットであるホースエレメント２を示す。このホースエレメント２を複数つなぐことにより、所望の長さのホースを形成することができる。２０は、ホースエレメント本体であって、２０ａは開口を持つ一端部、２０ｂは開口を持つ他端部であり、図７に示す通り中空の内部構造を持つ。ホースエレメント本体２０は樹脂製とすることができるが、金属製であってもよい。流体は、一端部２０ａの開口から流入し、他端部２０ｂの開口から流出する。つまり、一端部２０ａが上流側であり、他端部２０ｂが下流側となる。勿論、上流側と下流側を逆にしてもよい。
【００１９】  一端部の２０ａは、上流側の別の配管ユニット（ホースエレメント）の連結部と結合するための雄部の形状をしており、図示しない別のホースエレメントは雌部の形状をする。この形状並びに上流側のホースエレメントとの結合構造は、第１の実施形態で説明したものと同様なので、説明を省略する。そして、一端部２０ａの内壁には、第１実施形態同様に、フィルタ部材１２が止め輪１１にて、圧接固定されている。この構造及び配置は、第１実施形態同様なので、その説明を省略する。
【００２０】  他端部２０ｂは、下流の別の配管ユニット（ホースエレメント）の連結部と結合するために雌部の形状をしており、図示しない下流側の別のホースエレメントは雄部の形状をする。雌部の内周面の一部を球面で構成し、その半径は雄部の外周面の一部をなす球面の半径より小さい（雌部の外周面は雄部の外周面より半径が大きい）。互いに球面対偶をなす雌部と雄部とは、これらの球面の半径方向に互いに弾性変形してこれらの球面によって密接することになる。この構造により液密性を実現し維持する。そして、一端部２０ａと他端部２０ｂとの間は、連結していて流体が通過できるよう内部は中空構造である。
【００２１】  図７は、図６のホースエレメント２を分解したものの断面を示しており、ホースエレメント本体２０の上流に止め輪１１、フィルタ部材１２が示されている。止め輪１１は、フィルタ部材１２を、ホースエレメント本体２０の一端部２０ａの中空内壁面に圧接固定することになる。このように、本実施形態のホースエレメント２では、中空のホースエレメント本体２０に、フィルタ部材１２が取付け固定されることで、フィルタ部材１２により、上流から供給される流体に含まれる異物を下流に流さないように受け止める或いは堰き止めることが可能となる。つまり、ホースエレメントを複数連結して形成するホースの特定箇所にこのようなフィルタ部材を配設したホースエレメントを挿入しておけば、下流のホースには、異物が流体とともに供給されることはなくなるので、良好な流体供給ができる。なお、本実施形態では、上流側を一端部２０ａとし、下流側を他端部２０ｂとしたことにより、フィルタ部材１２の構成及び配置を図７に示すように、底部が下流側（図面の右側）となるようにしたが、上流側と下流側を逆にした場合は、底部が図面左側となるようにして、適宜その形状を変形すれば実現できる。
【符号の説明】
【００２２】１  コネクタ
１０  コネクタ本体
１１  止め輪
１２  フィルタ部材
２  ホースエレメント
２０  ホースエレメント本体
【図１】
0003233270.tif 000003
【図２】
0003233270.tif 000004
【図３】
0003233270.tif 000005
【図４】
0003233270.tif 000006
【図５】
0003233270.tif 000007
【図６】
0003233270.tif 000008
【図７】
0003233270.tif 000009